(57)【特許請求の範囲】
【請求項１】
先端に刃先の形成された針と、該針を保持する筒状のハブと、上記針を囲繞するとともに該針に沿って摺動可能に設けられた筒状の保護カバーとを備え、
上記保護カバーを針の後端側に相対移動させて針の刃先を保護カバーより突出させる使用状態と、上記保護カバーを針の先端側に相対移動させて針の刃先を保護カバー内に収納する収納状態とに切替え可能な留置針において、
上記ハブおよび保護カバーを摺動可能に保持するとともに被装着体に固定される筒状の本体部と、上記ハブおよび保護カバーの間に弾装したばねと、上記ばねを圧縮して上記ハブおよび保護カバーを接近させ、上記使用状態を維持する作動レバーとを備え、
上記ハブは上記保護カバーを収納するとともに貫通孔の形成された円筒部と、該円筒部内に位置して上記ばねの弾接するばね受け部とを備え、また上記保護カバーは上記円筒部に向けて突出する第１突起を備え、さらに上記作動レバーは上記本体部に一端が固定された可撓性の腕部と、該腕部の他端部より内周側に突出する第１係合部とから構成され、
上記本体部はその内部に上記保護カバーを摺動可能に保持し、上記保護カバーの外周には上記第１突起と異なる位置に第２突起を突出させ、上記本体部内周面には上記保護カバーの第１突起と当接する第２係合部と、上記第２突起に係合する第３係合部を設けて、
上記使用状態とする際には、
上記ハブの貫通孔に上記作動レバーの第１係合部を挿入して、該第１係合部の先端側の端面と貫通孔の先端側の端面とを係合させ、さらに上記保護カバーの第１突起を上記ハブの貫通孔の先端側の端面よりも後端側に位置させて、該第１突起の先端側の端面を上記第１係合部の後端側の端面に係合させ、
上記収納状態とする際には、
上記使用状態から上記作動レバーを操作することにより、上記ばねの弾性力により上記ハブおよび保護カバーを離隔する方向に相対移動させ、針の刃先を保護カバー内に収納し、
さらに、上記保護カバーにおける第１突起の先端側の端面と、本体部における第２係合部の後端側の端面とを当接させて保護カバーが本体部より脱落しないように保持するとともに、
上記保護カバーにおける第２突起の後端側の端面と、本体部における第３係合部の先端側の端面とを当接させて、上記保護カバーが使用状態に戻らないように保持することを特徴とする留置針。
【請求項２】
上記ハブは上記円筒部内で本体部を摺動可能に保持し、上記ハブもしくは本体部のいずれか一方に、他方に向けて突出する第３突起を設け、ハブもしくは本体部のいずれか他方に上記第３突起の係合する第４係合部を設けて、
上記収納状態とする際には、
上記ハブの先端側の端面を作動レバーにおける係合部の後端側の端面に当接させてハブが使用状態に戻らないように保持するとともに、
上記第３突起および第４係合部とを係合させてハブが本体部より脱落しないように保持することを特徴とする請求項１に記載の留置針。
【請求項３】
上記本体部に、該本体部を被装着体に固定するための翼状部材を設けることを特徴とする請求項１または請求項２のいずれかに記載の留置針。
【発明の詳細な説明】
【技術分野】
【０００１】
本発明は留置針に関し、具体的には収納状態において針を保護カバー内に収納する留置針に関する。
【背景技術】
【０００２】
今日、点滴や透析等のため、患者に留置針を穿刺することが行われており、その際患者から抜いた留置針が医療従事者に誤って刺さる事故を防止する必要がある。
このため、先端に刃先が形成された針と、該針の後端を保持する円筒状のハブと、上記針に沿って進退動可能に設けられた円筒状の保護カバーとを備えた留置針が知られている。（特許文献１〜３）
特許文献１の留置針は、カヌラの後端を保持するハブと、該ハブをその内部に収納して保持する保持筒とから構成され、保持筒を進退動させることで該保持筒内にカヌラを収納するようになっている。
特許文献２の留置針は、針カニューレの後端に設けられたハブと、該ハブを摺動可能に収納する安全シールドとから構成され、使用状態からアクチュエータを操作すると、ハブと安全シールドとの間に弾装されたばねが進展し、安全シールドが針カニューレを収納するようになっている。
特許文献３の留置針は、針カニューレおよび針ハブによって構成された針アセンブリと、該針アセンブリを進退動可能に収納する胴部とから構成され、医療処置が終了したら作動ボタンを操作することにより、ばねの弾性力により突き刺し要素を胴部に入れるようになっている。
このように、特許文献１〜３の留置針によれば、使用後には針を保護カバー内に収納する収納状態とすることで、上記事故を防止するようになっている。
【特許文献１】特開平１０−８５３３３号公報
【特許文献２】特開２００２−３３０９４５号公報
【特許文献３】特開２００３−１８０８２９号公報
【発明の開示】
【発明が解決しようとする課題】
【０００３】
しかしながら、上記特許文献１〜３の留置針の場合、上記保護カバーの長さを針が保護カバーから突出している長さよりも長く設定する必要があり、使用状態において患者に固定される部材の長さを長くせざるを得なかった。
その場合、たとえば透析治療を受けている患者の場合、何度も針を穿刺することで穿刺された部分の組織が硬化し、こぶ状の隆起ができてしまうが、使用状態において患者に固定される部材の長さが長いと、留置針を患者に固定した際に留置針が隆起に触れてしまい、血管に挿入される針の角度がぶれて患者が痛みを訴える場合があった。
このような問題に鑑み、本発明は使用状態において被装着体に固定される部材の長さの短い留置針を提供するものである。
【課題を解決するための手段】
【０００４】
すなわち請求項１における留置針は、先端に刃先の形成された針と、該針を保持する筒状のハブと、上記針を囲繞するとともに該針に沿って摺動可能に設けられた筒状の保護カバーとを備え、
上記保護カバーを針の後端側に相対移動させて針の刃先を保護カバーより突出させる使用状態と、上記保護カバーを針の先端側に相対移動させて針の刃先を保護カバー内に収納する収納状態とに切替え可能な留置針において、
上記ハブおよび保護カバーを摺動可能に保持するとともに被装着体に固定される筒状の本体部と、上記ハブおよび保護カバーの間に弾装したばねと、上記ばねを圧縮して上記ハブおよび保護カバーを接近させ、上記使用状態を維持する作動レバーとを備え、
上記ハブは上記保護カバーを収納するとともに貫通孔の形成された円筒部と、該円筒部内に位置して上記ばねの弾接するばね受け部とを備え、また上記保護カバーは上記円筒部に向けて突出する第１突起を備え、さらに上記作動レバーは上記本体部に一端が固定された可撓性の腕部と、該腕部の他端部より内周側に突出する第１係合部とから構成され、
上記本体部はその内部に上記保護カバーを摺動可能に保持し、上記保護カバーの外周には上記第１突起と異なる位置に第２突起を突出させ、上記本体部内周面には上記保護カバーの第１突起と当接する第２係合部と、上記第２突起に係合する第３係合部を設けて、
上記使用状態とする際には、
上記ハブの貫通孔に上記作動レバーの第１係合部を挿入して、該第１係合部の先端側の端面と貫通孔の先端側の端面とを係合させ、さらに上記保護カバーの第１突起を上記ハブの貫通孔の先端側の端面よりも後端側に位置させて、該第１突起の先端側の端面を上記第１係合部の後端側の端面に係合させ、
上記収納状態とする際には、
上記使用状態から上記作動レバーを操作することにより、上記ばねの弾性力により上記ハブおよび保護カバーを離隔する方向に相対移動させ、針の刃先を保護カバー内に収納し、
さらに、上記保護カバーにおける第１突起の先端側の端面と、本体部における第２係合部の後端側の端面とを当接させて保護カバーが本体部より脱落しないように保持するとともに、
上記保護カバーにおける第２突起の後端側の端面と、本体部における第３係合部の先端側の端面とを当接させて、上記保護カバーが使用状態に戻らないように保持することを特徴としている。
【発明の効果】
【０００６】
上記請求項１の発明によれば、使用状態においては保護カバーとハブとを接近させているので、使用状態において被装着体に固定される部材の長さを短くすることができ、患者への負担を軽減することができる。
具体的に説明すると、上記保護カバーおよびハブは本体部によって摺動可能に保持されており、使用状態において上記ハブは本体部に対して保護カバー側に接近した位置に保持されている。
この状態から作動レバーを操作して留置針を収納状態とすると、ばねの弾性力によって上記ハブは本体部から離隔する方向に相対移動し、このハブと本体部とが相対移動した距離だけ、患者に接触する部材の長さが長くなる。
換言すれば、針を突出させて患者に穿刺を行う使用状態においては、上記ハブと本体部との相対移動の距離だけ患者に接触する部材の長さを短くすることができ、皮膚にできた隆起を避けて留置針を固定することが可能となるので、患者への負担を軽減することができる。
【発明を実施するための最良の形態】
【０００８】
以下本実施例について説明すると、図１、図２は本発明に係る留置針１を示し、このうち図１は留置針１の使用状態の断面図を、図２は収納状態の断面図を表すとともに、図１（ａ）、図２（ａ）は側面方向からの断面図を、図１（ｂ）、図２（ｂ）は平面方向からの断面図を表している。なお、以下の説明において、下記針４の刃先４ａ側を先端側とする。
本実施例の留置針１は、被装着体としての患者に固定される翼状部材２と、該翼状部材２を介して患者に固定される円筒状の本体部３と、先端に刃先４ａの形成された中空の針４と、該針４の後端部を保持するとともに上記本体部３の後端側で摺動する筒状のハブ５と、上記本体部３の先端側で摺動する筒状の保護カバー６と、上記ハブ５および保護カバー６の間に弾装されたばね７とから構成されている。
上記留置針１の使用状態とは、上記針４が本体部３の先端より突出し、かつ保護カバー６が本体部３内に収容されている状態のことをいい、この使用状態では、針４の刃先４ａを患者に穿刺し、粘着テープ等により上記翼状部材２ごと本体部３を患者に固定するようになっている。
一方、留置針１の収納状態とは、上記保護カバー６を本体部３より突出させて、該保護カバー６に針４を収納している状態のことをいい、患者への輸液等が終了したら保護カバー６に針４を収納することで、刃先４ａが医療従事者に刺さってしまう事故を防止するようになっている。
そして本実施例の留置針１には、上記本体部３、ハブ５、保護カバー６を上記使用状態に維持する第１保持機構Ａと、上記本体部３と保護カバー６とを収納状態に維持する第２保持機構Ｂと、本体部３とハブ５とを収納状態に維持する第３保持機構Ｃとが備えられている。
【０００９】
上記翼状部材２は、本体部３を囲繞する筒状部２ａと、該筒状部２ａの両側に広がる翼部２ｂとから構成され、筒状部２ａの上方（図１（ａ）の上方）には回転防止のための溝２ｃが形成されている。
そして上記翼部２ｂを患者の皮膚に沿って変形させ、翼状部材２の表面から粘着テープ等によって固定することで、留置針１を患者に固定するようになっている。
【００１０】
上記本体部３は略円筒形を有し、その外周面には上記翼状部材２の筒状部２ａが嵌合する連結部３ａと、該連結部３ａの後端側に位置する大径部３ｂと、大径部３ｂの後端側に位置して上記ハブ５の嵌合する小径部３ｃとが形成され、上記大径部３ｂには作動レバー１１が設けられている。
上記連結部３ａは上記翼状部材２の筒状部２ａの内径に合わせて製造され、該連結部３ａの上方には上記筒状部２ａの溝２ｃに嵌合する凸形状３ｄを形成して、翼状部材２と本体部３とが相対的に回転するのを防止している。
次に、上記大径部３ｂと小径部３ｃとの境界には段差３ｅが形成され、さらに大径部３ｂの上方には図示左右方向にキー溝１２（図２（ａ）参照）が形成されている。
小径部３ｃはハブ５の内周面に沿って摺動可能な径で製造され、上部には所定位置には第１貫通孔１３が、両側部には図示左右方向には第１ガイド孔１４がそれぞれ穿設されている。そして該第１ガイド孔１４の後端には第４係合部１５が形成されている。
また本体部３の内周面３ｆの上部には、先端から後端にかけて第１ガイド溝１６が形成され、該第１ガイド溝１６の先端部には内周方向に突出する第２係合部１６ａが形成されている。
さらに、内周面３ｆの下部には先端から後端にかけて第２ガイド溝１７が形成され、該第２ガイド溝１７には上記第２係合部１６ａよりも後端側の位置に第３係合部１７ａが形成されている。この第３係合部１７ａの後端部には傾斜面が形成されている。
上記作動レバー１１は、上記大径部３ｂに先端が固定された腕部１１ａと、該腕部１１ａの後端側に設けられるとともに上記第１貫通孔１３を貫通するように設けられた第１係合部１１ｂと、第１係合部１１ｂよりも後端側に設けられたつまみ１１ｃとから構成されている。
上記腕部１１ａは弾性変形し、通常は上記第１係合部１１ｂが上記第１貫通孔１３内に収納される状態を維持している。そして上記つまみ１１ｃを上方に持ち上げて腕部１１ａを弾性変形させると、上記第１係合部１１ｂを第１貫通孔１３より離脱させることが可能となっている
【００１１】
上記ハブ５は上記針４の後端部を保持する保持部５ａと、上記本体部３を収納する円筒部５ｂと、図示しない輸液チューブの連結される連結部５ｃとから構成され、保持部５ａと円筒部５ｂとの間には環状溝５ｄが形成されている。
上記保持部５ａは針４の後端部を嵌着保持し、該針４を囲繞するように設けられたばね７の後端と当接するばね受け部を形成している。
さらに、保持部５ａと連結部５ｃとの間には液体通路５ｅが形成され、輸液チューブを介して流入する輸液は該液体通路５ｅより針４に供給される。
上記円筒部５ｂの上部には、上記本体部３のキー溝１２に係合するキー形状２１が先端側に向けて突出し、該キー形状２１の後端側には第２貫通孔２２が穿設されている。
上記図１（ａ）に示す使用状態において、上記第２貫通孔２２は上記本体部３の第１貫通孔１３と重合し、作動レバー１１の第１係合部１１ｂが挿入されるようになっている。
円筒部５ｂの両側には、その先端部に内周に向けて突出する第３突起２３が形成され、該第３突起２３は上記本体部３の第１ガイド孔１４に沿って移動するとともに、ハブ５と本体部３とが相対的に回転するのを防止している。
【００１２】
次に、上記保護カバー６は、その先端が使用状態において本体部３の先端と同じ位置となるよう、本体部３の内周面３ｆ内に摺動可能に収納されている。
保護カバー６の上部には上記本体部３の第１ガイド溝１６に沿って移動する第１突起６ａが形成され、また保護カバー６の下部には上記本体部３の第２ガイド溝１７に沿って移動する第２突起６ｂが形成されている。
上記第２突起６ｂは先端側から後端側に向けて傾斜した形状を有し、上記第２ガイド溝１７に形成された第３係合部１７ａの傾斜面に接触すると、保護カバー６の内周に向けて弾性変形し、第３係合部１７ａを乗り越えると復帰して、再び保護カバー６の外周に向けて突出するようになっている。
そして第１、第２突起６ａ、６ｂをそれぞれ第１、第２ガイド溝１６、１７に係合させることで、保護カバー６と本体部３とが相対的に回転するのを防止している。
【００１３】
上記留置針１を使用状態に維持する第１保持機構Ａについて説明すると、図１において、ハブ５および保護カバー６は上記ばね７の弾性力に抗して接近した状態に保持されている。
この状態において、上記ハブ５は本体部３に対して最も先端側に位置しており、円筒部５ｂの先端は上記本体部３の段差３ｅに当接し、また上記本体部３の後端はハブ５の環状溝５ｄに収納されている。
上記ハブ５に穿設された第２貫通孔２２には、上記作動レバー１１の第１係合部１１ｂが挿入され、該第１係合部１１ｂの先端側の端面と、第２貫通孔２２の先端側の端面とが係合することにより、ばね７の弾性力に抗してハブ５が後端側へ移動するのを規制している。
一方、保護カバー６は本体部に対して最も後端側に位置しており、このとき保護カバー６の先端と本体部３の先端との位置は略一致し、さらに上記第１突起６ａは作動レバー１１の第１係合部１１ｂよりも後端側に位置している。
そして、第１突起６ａの先端側の端面と第１係合部１１ｂの後端側の端面とが係合することにより、ばね７の弾性力に抗して保護カバー６が先端側へ移動するのを規制している。
このように、作動レバー１１の第１係合部１１ｂに上記ハブ５の第２貫通孔２２と、保護カバー６の第１突起６ａとを係合させることで、留置針１を使用状態に維持することができる。
【００１４】
次に、図２を用いて上記本体部３と保護カバー６とを収納状態に維持する第２保持機構Ｂについて説明すると、図１の使用状態から上記第１保持機構Ａを解除すると、上記ハブ５および保護カバー６はばね７の弾性力によって離隔する方向に付勢される。
保護カバー６は本体部３に対して先端側に相対移動し、上記第１突起６ａは本体部３の内周面３ｆに形成された第１ガイド溝１６に沿って移動する。
そして該第１突起６ａの先端側の端面と第１ガイド溝１６の第２係合部１６ａの後端側の端面とが係合することにより、保護カバー６が先端側に移動するのを規制し、本体部３より脱落しないようにしている。
一方、保護カバー６が本体部３に対して先端側に相対移動すると、上記第２突起６ｂも本体部３の第２ガイド溝１７に沿って移動し、この第２突起６ｂが上記第３係合部１７ａの傾斜面に接触すると、保護カバー６の内側に弾性変形し、その後第３係合部１７ａを超えると元の形状に復帰する。
これにより、第２突起６ｂの後端側の端面と第３係合部１７ａの先端側の端面とが係合することになり、保護カバー６が後端側に相対移動するのを規制し、使用状態に戻らないようにしている。
このように、保護カバー６に形成された第１突起６ａおよび第２突起６ｂを、本体部３に形成された第２、第３係合部１６ａ、１７ａに係合させることで、保護カバー６と本体部３との収納状態を維持することができる。
【００１５】
そして本体部３とハブ５とを収納状態に維持する第３保持機構Ｃについて説明すると、図１の使用状態から上記第１保持機構Ａを解除すると、上記ハブ５および保護カバー６はばね７の弾性力によって離隔する方向に付勢される。
ハブ５は本体部３に対して後端側に相対移動し、円筒部３ｂの第３突起２３は本体部３の第１ガイド孔１４に沿って移動する。そして第３突起２３の後端側の端面と第１ガイド孔１４の後端に位置する第４係合部１５の先端側の端面とが係合することにより、ハブ５が後端側に移動するのを規制して、ハブ５が本体部３より脱落しないようにしている。
一方、上記ハブ５がばね７によって後端側に相対移動すると、上記作動レバー１１の第１係合部１１ｂは再び本体部３の第１貫通孔１３内に収納されるようになっている。
このとき、第１係合部１１ｂの後端側の端面と、ハブ５のキー形状２１の先端側の端面とが係合することにより、ハブ５が先端側に移動するのが規制され、使用状態に戻らないようにしている。
このように、ハブ５の第３突起２３を本体部３の第４係合部１５に係合させ、かつ作動レバー１１の第１係合部１１ｂにハブ５のキー形状２１の先端を当接させることで、ハブ５と本体部３との収納状態を維持することができる。
【００１６】
以上の構成を有する本実施例の留置針１の使用方法について説明する。
最初に、留置針１は上記使用状態で使用されるようになっており、ハブ５の連結部５ｃにはあらかじめ輸液チューブが接続され、また針４を患者に穿刺するまでは、針４の外周を図示しないカバーによって覆うようになっている。
次に、上記カバーを取り外して上記針４を患者の血管に穿刺し、翼状部材２を患者の皮膚に沿って変形させたら、該翼状部材２をテープ等によって患者に固定し、留置針１が患者に固定される。
その後、輸液チューブからの輸液はハブ５に形成された液体通路５ｅおよび針４を介して患者に送液され、輸液が終了したら、最初に翼状部材２を固定していたテープをはずし、針を患者から抜かずに、上記作動レバー１１のつまみ１１ｃを持ち上げる。
すると、上記作動レバー１１の腕部１１ａが弾性変形して、第１係合部１１ｂが本体部３の第１貫通孔１３およびハブ５の第２貫通孔２２より離脱し、上記使用状態を維持する第１保持機構Ａが解除される。
【００１７】
上記第１保持機構Ａが解除されると、ばね７の弾性力によってハブ５と保護カバー６とはそれぞれ離隔する方向に相対移動し、上記作動レバー１１の腕部１１ａは弾性変形したまま、上記第１係合部１１ｂは上記ハブ５のキー形状２１の表面を摺動する。
ハブ５はばね７の弾性力によって本体部３に対して後端側に相対移動し、これにより針４も本体部３に対して後端側に相対移動するので、針４が患者の血管より引き抜かれる。なお、このとき必ずしも針４が完全に血管より引き抜かれる必要はない。
そしてハブ５が本体部３に対して最も後端に相対移動すると、上記腕部１１ａが弾性変形より復帰し、第１係合部１１ｂが第１貫通孔１３内に収納される。
その結果、第１係合部１１ｂとハブ５のキー形状２１とが係合し、同時に第３突起２３と本体部３の第４係合部１５とが係合するので、ハブ５及び本体部３は上記第３保持機構Ｃによって収納状態に維持される。
一方、保護カバー６はばね７の弾性力によって本体部３に対して先端側に相対移動し、本体部３に対して最も先端に相対移動すると、保護カバー６の第１突起６ａと本体部３の第１ガイド溝１６に形成された第２係合部１６ａとが係合し、同時に第２突起６ｂと第２ガイド溝１７に形成された第３係合部１７ａとが係合する。
これにより、保護カバー６内に針４の刃先４ａが収納され、保護カ保護カバー６及び本体部３は上記第２保持機構Ｂによって収納状態に維持される。
【００１８】
このような構成を有する本実施例の留置針１によれば、留置針１を使用状態から収納状態とすることで、針４が保護カバー６内に収納されるので、針４が誤って医療従事者に刺さる事故を防止することができる。
次に本実施例の留置針１によれば、使用状態において患者に接触する部材の長さを短くすることができる。
具体的には、使用状態においては本体部３に対してハブ５を先端側に位置させておくことにより、針４が本体部３の先端より突出する長さを長くすることができ、患者に接触する部分を本体部３及びハブ５の連結部５ｃだけとすることができる。
そして収納状態とすると、本体部３に対してハブ５が後端側に相対移動し、ハブの円筒部５ｂが本体部より露出するので、患者に接触する部分が長くなるが、この収納状態は留置針１を患者から取り除く短期間だけであり、患者に負担を与えることはない。
さらに本実施例の留置針１によれば、使用状態から収納状態とする際に、患者の血管を傷めてしまうのを防止することができ、また血液の飛散を防止することができる。
具体的には、使用状態から収納状態とすると、本体部３に対してハブ５が後端側に位置し、保護カバー６は本体部３に対して後端側に相対移動した針４を収納するように先端側に相対移動する。これにより本体部３より突出していた針４の一部が血管から引き抜かれ、その状態で保護カバー６内に針４が収納されるので、血管に負担を与えず、また血液を飛散しにくくすることができる。
これを従来の特許文献１〜３の留置針と比較すると、従来の留置針は保護カバーから突出していた針を一気に保護カバー内に収納していたため、血管が傷んでしまう場合があり、また針内の血液が飛散してしまう恐れがあった。
【００１９】
次に、以下図３、図４を用いて、本発明に係る第２実施例について説明する。本実施例は上記第１実施例とほぼ同様の構成を有しており、共通する機能を有する部材には第１実施例と同じ部材の名称を用いて説明する。
本実施例の留置針１は、患者に固定される翼状部材２と、該翼状部材２によって保持される円筒状の本体部３と、先端に刃先４ａの形成された中空の針４と、該針４の後端部を保持するとともに上記本体部３に沿って進退動する円筒状のハブ５と、上記本体部３に沿って進退動し本体部３より図示左方に突出可能に設けられた保護カバー６と、上記ハブ５および保護カバー６との間に弾装されたばね７とから構成されている。
そして留置針１は、上記本体部３、ハブ５、保護カバー６を使用状態に維持する第１保持機構Ａと、上記本体部３と保護カバー６とを収納状態に維持する第２保持機構Ｂと、本体部３とハブ５とを収納状態に維持する第３保持機構Ｃとを備えている。
【００２０】
上記本体部３は、その使用状態では、その内部に上記ハブ５および保護カバー６を摺動可能に保持するようになっており、その外周面は上記翼状部材２の連結される連結部５ｃと、その後端側に形成された大径部３ｂとから構成され、大径部３ｂの上部には作動レバー１１が設けられている。
大径部３ｂの上部には、所定位置に第１貫通孔１３が穿設され、また大径部３ｂの後端側には、その一側部（図３（ｂ）下部）には内側に向けて第３突起２３が突出している。
本体部３の内周面には、先端側に形成されて上記保護カバー６を摺動可能に保持する小径部３ｇと、該小径部３ｇの後端側に形成されてハブ５を摺動可能に保持する大径部３ｈとが形成され、小径部３ｇと大径部３ｈとの境界には段差３ｅが形成されている。
また本体部３の内周面３ｆにおける一側部（図３（ｂ）上部）には、先端から後端にかけて第２係合部１６ａの形成された第１ガイド溝１６が形成され、また内周面３ｆの下部には先端から後端にかけて第３係合部１７ａの形成された第２ガイド溝１７が形成されている。
そして作動レバー１１は腕部１１ａ、第１係合部１１ｂ、つまみ１１ｃを備えており、上記第１係合部１１ｂは上記第１貫通孔１３を貫通するようになっている。
【００２１】
ハブ５は、針４を保持する保持部５ａと、上記本体部３の大径部３ｂ内を進退動する円筒部５ｂと、輸液チューブの連結される連結部５ｃとから構成され、円筒部５ｂの内周にばね受けが形成され、円筒部５ｂの外周には上記本体部３の後端部の当接する段差５ｆが形成されている。
上記円筒部５ｂの上部には第２貫通孔２２が形成され、一側部（図３（ｂ）下方）には図示左右方向に上記本体部３の第３突起２３の係合する第１ガイド孔１４が形成されている。
また、円筒部５ｂの内周面の下部には、使用状態において上記本体部３の第２ガイド溝１７と同じ位置に第４ガイド溝２４が形成され、さらに上記第１ガイド孔１４の他側部には、使用状態において上記本体部３の第１ガイド溝１６と同じ位置に第５ガイド溝２５が形成されている。
【００２２】
上記保護カバー６は上記使用状態において上記本体部３の小径部３ｃ内を摺動する大径部６ｃと、上記ハブ５の円筒部５ｂ内を摺動する小径部６ｄとから構成され、該小径部６ｄの後端部と上記ハブ５の円筒部５ｂとの間に、上記ばね７が弾装されるようになっている。
また保護カバー６の側部には、その後端部に上記本体部３の第１ガイド溝１６およびハブ５の第５ガイド溝２５に沿って移動し、収納状態においては上記第５ガイド溝２５より離脱する第１突起６ａが形成されている。
さらに、保護カバー６の下部には、その後端部に上記本体部３の第２ガイド溝１７およびハブ５の第４ガイド溝２４に沿って移動し、収納状態においては上記第４ガイド溝２４より離脱する第２突起６ｂが形成されている。
そして小径部６ｄの上部には、第３貫通孔３１が穿設されており、該第３貫通孔３１は使用状態において上記本体部３の第１貫通孔１３と同じ位置に設けられている。
【００２３】
そして上記留置針１を使用状態に維持する第１保持機構Ａについて説明すると、図３（ａ）において、上記ばね７の弾性力に抗してハブ５および保護カバー６とを接近させると、上記ハブ５における円筒部５ｂの先端が上記本体部３の段差３ｅに当接するとともに、上記本体部３の後端がハブ５の段差５ｆに当接する。
このとき、本体部３の第１貫通孔１３、ハブ５の第２貫通孔２２、保護カバー６の第３貫通孔３１の位置が一致し、これら貫通孔１３，２２，３１に上記作動レバー１１の第１突起６ａが挿入される。
すると、該第１係合部１１ｂの先端側の端面と、ハブ５の第２貫通孔２２の先端側の端面とが係合し、ハブ５が後端側へ移動するのを規制する。
同時に、第３貫通孔３１に第１突起６ａが挿入されることで、該第１係合部１１ｂの後端側の端面と、第３貫通孔３１の後端側の端面とが係合し、ハブ５が先端側へ移動するのを規制する。
このように、作動レバー１１の第１係合部１１ｂを上記ハブ５の第２貫通孔２２と、保護カバー６の第３貫通孔３１に挿入することで留置針１を使用状態に維持することが可能となっている。
【００２４】
次に、図４を用いて上記本体部３と保護カバー６とを収納状態に維持する第２保持機構Ｂについて説明すると、図１の使用状態から上記第１保持機構Ａを解除すると、上記ハブ５および保護カバー６はばね７の弾性力によって離隔する方向に付勢される。
保護カバー６は本体部３に対して先端側に相対移動し、上記第１突起６ａは本体部３の内周面３ｆに形成された第１ガイド溝１６に沿って移動する。
そして該第１突起６ａの先端側の端面と第１ガイド溝１６の第２係合部１６ａの後端側の端面とが係合し、これ以上保護カバー６は先端側に移動するのが規制され、本体部３より脱落しないようになる。
一方、保護カバー６が本体部３に対して先端側に相対移動すると、上記第２突起６ｂも本体部３の第２ガイド溝１７に沿って移動し、この第２突起６ｂは、上記第３係合部１７ａの傾斜面に接触すると、保護カバー６の内側方向に弾性変形し、その後第３係合部１７ａを超えると元の形状に復帰する。
これにより、第２突起６ｂの後端側の端面と第３係合部１７ａの先端側の端面とが係合し、保護カバー６が後端側に相対移動するのを規制し、使用状態に戻らなくなる。
このように、保護カバー６に形成された第１突起６ａおよび第２突起６ｂを本体部３に形成された第２、第３係合部１６ａ、１７ａに係合させることで、保護カバー６および本体部３の収納状態を維持することができる。
【００２５】
そして本体部３とハブ５とを収納状態に維持する第３保持機構Ｃについて説明すると、図１の使用状態から上記第１保持機構Ａを解除すると、上記ハブ５および保護カバー６はばね７の弾性力によって離隔する方向に付勢される。
ハブ５は本体部３に対して後端側に相対移動し、円筒部３ｂの第３突起２３は本体部３の第１ガイド孔１４に沿って移動する。そして第３突起２３の後端側の端面と第１ガイド孔１４の後端に位置する第４係合部１５の先端側の端面とが係合し、これ以上ハブ５が後端側に移動するのが規制され、本体部３より脱落しなくなる。
一方、上記ハブ５がばね７によって後端側に相対移動すると、上記作動レバー１１の第１係合部１１ｂは再び本体部３の第１貫通孔１３内に収納されるようになっている。このとき、第１係合部１１ｂの後端側の端面と、ハブ５の円筒部５ｂの先端側の端面とが係合し、ハブ５が先端側に移動するのが規制され、使用状態に戻らなくなる。
このように、ハブ５の第３突起２３を本体部３の第４係合部１５に係合させ、かつ作動レバー１１の第１係合部１１ｂにハブ５の円筒部５ｂの先端を当接させることで、ハブ５及び本体部３の収納状態を維持することができる。
【００２６】
そしてこの第２実施例における留置針１においても、上記第１実施例の留置針１と同様、上記作動レバー１１を操作することにより、留置針１を使用状態から収納状態とすることができる。
つまり使用状態においては患者に接触する部材の長さを短くすることができ、収納状態においては保護カバー６によって針４を収納するとともに、血管をいためるのを防止し、血液が飛散するのを防止することができる。
【図面の簡単な説明】
【００２７】
【図１】第１実施例に係る留置針の使用状態を示す図であり、（ａ）は側面方向から見た断面図を、（ｂ）は平面方向から見た断面図を示す。
【図２】第１実施例に係る留置針の収納状態を示す図であり、（ａ）は側面方向から見た断面図を、（ｂ）は平面方向から見た断面図を示す。
【図３】第２実施例に係る留置針の使用状態を示す図であり、（ａ）は側面方向から見た断面図を、（ｂ）は平面方向から見た断面図を示す。
【図４】第２実施例に係る留置針の収納状態を示す図であり、（ａ）は側面方向から見た断面図を、（ｂ）は平面方向から見た断面図を示す。
【符号の説明】
【００２８】
１  留置針                      ３  本体部
４  針                          ５  ハブ
６  保護カバー                  ６ａ  第１突起
６ｂ  第２突起                  ７  ばね
１１  作動レバー                １１ｂ  第１係合部
１３ａ  第１ガイド孔            １３ｂ  第４係合部
１６  第１ガイド溝              １６ａ  第２係合部
１７  第２ガイド溝              １７ａ  第３係合部
２２ｂ  第２貫通孔              ２２ｃ  第３突起
３１  第３貫通孔                Ａ〜Ｃ  第１〜第３保持機構
【図１】
0004736041.tif 000002
【図２】
0004736041.tif 000003
【図３】
0004736041.tif 000004
【図４】
0004736041.tif 000005